(57)【要約】【課題】インターネット接続した際のユーザの利便性を向上できる映像処理装置及び映像処理方法を提供する。【解決手段】実施形態に係る映像処理装置は、インターネット上のＷｅｂサイトへアクセスするアクセス部と、Ｗｅｂサイトの情報を解析して、Ｗｅｂサイトの表示に必要な処理負荷を算出する解析部と、算出した処理負荷に応じて、Ｗｅｂサイトを表示する第１の表示形態と、Ｗｅｂサイト及び他の映像を表示する第２の表示形態を切り替えるよう制御する表示制御部と、を具備する。【選択図】図１
2011250061.tif 000002
【特許請求の範囲】
【請求項１】
インターネット上のＷｅｂサイトへアクセスするアクセス部と、
前記Ｗｅｂサイトの情報を解析して、前記Ｗｅｂサイトの表示に必要な処理負荷を算出する解析部と、
前記算出した処理負荷に応じて、前記Ｗｅｂサイトを表示する第１の表示形態と、前記Ｗｅｂサイト及び他の映像を表示する第２の表示形態を切り替えるよう制御する表示制御部と、
を具備することを特徴とする映像処理装置。
【請求項２】
前記解析部は、
前記Ｗｅｂサイトの情報に、特定のライブラリが含まれるか否かに応じて、前記処理負荷を算出することを特徴とする請求項１記載の映像処理装置。
【請求項３】
前記解析部は、
前記Ｗｅｂサイトのスクリプトファイルのファイルサイズに応じて前記処理負荷を算出することを特徴とする請求項１記載の映像処理装置。
【請求項４】
表示に必要な時間が所定の時間を超えているＷｅｂサイトのＵＲＬが記憶されている記憶部を更に備え、
前記解析部は、
前記アクセスしたＷｅｂサイトのＵＲＬが、前記記憶部に記憶されているか否かに応じて、前記処理負荷を算出することを特徴とする請求項１記載の映像処理装置。
【請求項５】
前記解析部は、
ダウンロード対象である前記Ｗｅｂサイト上のコンテンツの容量が所定の容量を超えているか否かに応じて、前記処理負荷を算出することを特徴とする請求項１記載の映像処理装置。
【請求項６】
放送信号を受信する受信部をさらに具備し、
前記表示制御部は、
前記受信部で受信した放送信号に対応する映像を他の映像として表示することを特徴とする請求項１記載の映像処理装置。
【請求項７】
Ｗｅｂサイトへアクセスするステップと、
前記Ｗｅｂサイトの情報を解析して、前記Ｗｅｂサイトの表示に必要な処理負荷を算出するステップと、
前記算出した処理負荷に応じて、前記Ｗｅｂサイトを表示する第１の表示形態から、前記Ｗｅｂサイト及び他の映像を表示する第２の表示形態を切り替えるステップと、
を具備することを特徴とする映像処理方法。
【発明の詳細な説明】
【技術分野】
【０００１】
本発明の実施形態は、映像処理装置及び映像処理方法に関する。
【背景技術】
【０００２】
従来の映像処理装置には、放送局から送信される放送信号を受信して、放送番組を視聴するだけでなく、ブラウザを搭載して、インターネット上のＷｅｂサイト等を閲覧したり、映画や音楽等のコンテンツをダウンロードして視聴できるものがある。このような映像処理装置の中には、インターネット接続時の通信待ち時間の間、ユーザが変化のない画面を見て待っている間の苦痛を軽減するために、インターネット接続の通信中であることを検出し、通信中であれば自動的に放送番組とインターネットブラウザとを同時に表示する二画面表示に表示状態を切り替え、通信が終了するとインターネットブラウザだけを表示する一画面表示に表示状態を戻すものがある（例えば、特許文献１参照）。
【先行技術文献】
【特許文献】
【０００３】
【特許文献１】特開２００６−１３４３２０号公報
【発明の概要】
【発明が解決しようとする課題】
【０００４】
しかしながら、従来の映像処理装置は、インターネット上のＷｅｂサイトの表示や、映画や音楽等のコンテンツをダウンロードに時間が掛る場合、ユーザが手持無沙汰になるという問題がある。また、インターネット上のＷｅｂサイトの表示や、映画や音楽等のコンテンツをダウンロードがすぐに終了する場合に、１画面表示と２画面表示とを切り替えると、かえって煩わしいという問題がある。
【０００５】
本発明の実施形態は、かかる従来の問題を解消すべくなされたもので、インターネット接続した際のユーザの利便性を向上できる映像処理装置及び映像処理方法を提供することを目的とする。
【課題を解決するための手段】
【０００６】
実施形態に係る映像処理装置は、インターネット上のＷｅｂサイトへアクセスするアクセス部と、Ｗｅｂサイトの情報を解析して、Ｗｅｂサイトの表示に必要な処理負荷を算出する解析部と、算出した処理負荷に応じて、Ｗｅｂサイトを表示する第１の表示形態と、Ｗｅｂサイト及び他の映像を表示する第２の表示形態を切り替えるよう制御する表示制御部と、を具備する。
【０００７】
実施形態に係る映像処理方法は、Ｗｅｂサイトへアクセスするステップと、Ｗｅｂサイトの情報を解析して、Ｗｅｂサイトの表示に必要な処理負荷を算出するステップと、算出した処理負荷に応じて、Ｗｅｂサイトを表示する第１の表示形態から、Ｗｅｂサイト及び他の映像を表示する第２の表示形態を切り替えるステップと、を具備する。
【図面の簡単な説明】
【０００８】
【図１】第１の実施形態に係る映像処理装置を示す図である。
【図２】第１の実施形態に係る映像処理装置の構成を示す図である。
【図３】第１の実施形態に係る映像処理装置の動作を示すフローチャートである。
【図４】表示形態（一画面表示と二画面表示）の変化を示す図である。
【図５】第２の実施形態に係る映像処理装置の構成を示す図である。
【図６】第２の実施形態に係る映像処理装置の動作を示すフローチャートである。
【図７】第３の実施形態に係る映像処理装置の動作を示すフローチャートである。
【発明を実施するための形態】
【０００９】
以下、図面を参照して、本発明の実施形態を詳細に説明する。
（第１の実施形態）
図１は、第１の実施形態に係る映像処理装置を示す図である。図２は、第１の実施形態に係る映像処理装置の構成を示す図である。第１の実施形態では、映像処理装置の具体例としてデジタルテレビ１（以下、デジタルＴＶ１と称する）について説明する。
【００１０】
なお、この第１の実施形態に係るデジタルＴＶ１は、放送局から送信される放送信号を受信して放送番組を視聴及び録画するだけでなく、ブラウザを搭載して、インターネット上のインターネット上のＷｅｂサイト等を閲覧したり、映画や音楽等のコンテンツをダウンロードして視聴することが可能である。
【００１１】
デジタルＴＶ１は、大きく分けてＳＴＢ（Set Top Box）１０Ａ、表示モジュール１０Ｂ、音声出力モジュール１０Ｃを具備する。ＳＴＢ１０２Ａは、地上波テレビ放送（デジタル放送）などの放送信号を受信して、表示モジュール１０２Ｂで視聴可能な信号に変換する装置である。なお、地上波テレビ放送（デジタル放送）以外にも、ケーブルテレビ放送や衛星放送、地上波テレビ放送（アナログ放送）、ＩＰ放送（ブロードバンドＶＯＤ（video on demand））等の放送信号を受信してもよい。
【００１２】
ＳＴＢ１０Ａは、ＨＤＤ１０１、チューナ１０２、復調モジュール１０３、分離モジュール１０４、ＡＶデコーダ１０５、マイコン１０６、メモリ１０７、リモコン受信モジュール１０８、端子１０９、Ｉ／Ｆ１１０、端子１１１、Ｉ／Ｆ１１２、ＡＶ出力コントローラ１１３を具備する。
【００１３】
ＨＤＤ（Hard Disk Drive）１０１は、ラストチャンネル情報（最後に選局されたチャンネル）、録画されたデジタル放送番組、ＥＰＧ情報（電子番組情報）、過去分のＥＰＧ情報、インターネットに接続されたＷｅｂサーバからダウンロードされた映画や音楽等のコンテンツや、ホームページやお気に入りとして登録されたＷｅｂサイトのＵＲＬ（Uniform Resource Locator）等が記憶されている。
【００１４】
なお、過去分ＥＰＧ情報とは、録画された放送送番組のＥＰＧ情報である。また、ＨＤＤ１０１に代えて、フラッシュメモリを用いたＳＳＤ（Solid State Drive）などを使用してもよい。また、ラストチャンネル情報は、後述するメモリ１０７へ記憶するようにしてもよい。
【００１５】
チューナ１０２は、アンテナ２で受信されたデジタル放送信号から所望のチャンネルを選局する。復調モジュール１０３は、チューナ１０２で選局したデジタル放送信号を復調してＴＳ（トランスポートストリーム）を生成する。
【００１６】
分離モジュール１０４は、復調モジュール１０３で生成したＴＳから放送信号（音声ＥＳ（音声信号）、映像ＥＳ（映像信号））、ＳＩ／ＰＳＩ等を分離する。
【００１７】
ＴＳは、放送信号，ＳＩ／ＰＳＩを含む多重化された信号である。放送信号は，例えば，ＭＰＥＧ−２の放送信号である。放送信号は、映像・音声のそれぞれを符号化した音声ＥＳ（Audio Elementary Stream）と映像ＥＳ（Video Elementary Stream）である。ＰＳＩは、ＴＳにどのようなプログラムが存在し、ＴＳに含まれる各ＥＳがどのプログラムに属しているかを記した情報である。
【００１８】
ＡＶデコーダ１０５は、分離モジュール１０４で分離された音声ＥＳ、映像ＥＳをデコードして、映像信号、音声信号を生成する。ＡＶデコーダ１０５は、生成した映像信号、音声信号をＡＶ出力コントローラ１１３へ出力する。
【００１９】
端子１０９は、ＤＶＤレコーダやＨＤＤレコーダ等の外部記憶装置を接続するための端子である。Ｉ／Ｆ（Inter Face）１１０は、端子１０９に接続された外部記憶装置とマイコン１０６との間でデータの送受信を行うためのインターフェースである。
【００２０】
端子１１１は、インターネットに接続するための端子である。端子１１１は、図示しないモデムと接続される。Ｉ／Ｆ（Inter Face）１１２は、端子１１１に接続されたモデムを介してプロバイダ（インターネット接続事業者）のサーバ等とデータの送受信を行うためのインターフェースである。
【００２１】
リモコン受信モジュール１０８は、リモートコントローラ２０（以下、リモコン２０と称する）から赤外線等の無線により送信される操作信号を受信する。リモコン２０は、「カーソル」キー、「決定」キー、「文字」キー、「入力切替」キーなど、デジタルＴＶ１の操作に必要な各種キーを備える。
【００２２】
ユーザは、「入力切替」キーを操作することにより、表示モジュール１０Ｂ及び音声出力モジュール１０Ｃへ入力される映像信号及び音声信号を切り替えることができる。すなわち、「入力切替」キーを操作すると、表示モジュール１０Ｂの表示及び音声出力モジュール１０Ｃの音声出力が、チューナ１０２で選局された番組、ＨＤＤ１０１に録画された番組、端子１０９に接続された外部記憶装置で再生されたコンテンツやブラウザによるＷｅｂサイト等に切り替わる。
【００２３】
メモリ１０７には、マイコン１０６の動作コード、Ｗｅｂサイト等の閲覧に必要なブラウザやＷｅｂサイトを表示する際に使用されるスクリプトファイルを解析する解析プログラム等が記憶されている。
【００２４】
ブラウザは、ＵＲＩ（Uniform Resource Identifier）・ＨＴＴＰ（Hypertext Transfer Protocol）などに基き、Ｗｅｂサーバと通信してリソースを取得するＨＴＴＰユーザーエージェント機能、取得したリソースをＨＴＭＬ（HyperText Markup Language）、ＸＨＴＭＬ（Extensible HyperText Markup Language）、ＸＭＬ（Extensible Markup Language）、テキスト（文字）、画像等の種類に応じて解析するパース(parser) 機能、解析結果に基づいてテキスト（文字）や画像を配置位置や大きさ（サイズ）を調節して表示を行うレンダラ (renderer)機能を有する。また、このブラウザはＪａｖａＳｃｒｉｐｔ（Javaは、登録商標）などのスクリプトエンジンを搭載しており、プラグインなどの仕組みでブラウザの機能を拡張が可能である。
【００２５】
マイコン１０６は、デジタルＴＶ１全体を制御する。マイコン１０６は、メモリ１０７に記憶されている動作コードや各プログラムを実行することにより上述のブラウザ機能やスクリプトファイルの解析機能が実現される。なお、解析機能の詳細については後述する。
【００２６】
ＡＶ出力コントローラ１１３は、リモコン受信モジュール１０８で受信した操作信号に応じて、表示モジュール１０Ｂ及び音声出力モジュール１０Ｃへ入力する映像信号及び音声信号を切り替える。また、ＡＶ出力コントローラ１１３は、マイコン１０６における解析結果に応じて、後述する表示モジュール１０Ｂの表示形態（一画面表示と二画面表示）を切り替える。
【００２７】
表示モジュール１０Ｂは、ＡＶ出力コントローラ１１３から入力される映像信号に対応する映像を表示するＬＣＤ（Liquid Crystal Display）やＣＲＴ（Cathode Ray Tube）などである。音声出力モジュール１０Ｃは、ＡＶ出力コントローラ１１３から入力される音声信号に対応する音声を出力するスピーカＳ１，Ｓ２を具備する。
【００２８】
図３は、第１の実施形態に係るデジタルＴＶ１の動作を示すフローチャートである。図４は、表示モジュール１０Ｂにおける表示形態（一画面表示と二画面表示）の変化を示す図である。以下、図３，図４を参照して、第１の実施形態に係るデジタルＴＶ１の動作の詳細を説明する。なお、以下の説明では、ブラウザが立ち上がり、ホームページとして登録されているＵＲＬのＷｅｂサイトが表示された状態からの動作を説明する。
【００２９】
ユーザがリモコン２０を操作して、お気に入りとして登録したＷｅｂサイトのＵＲＬ、検索サイトで検索されたＵＲＬもしくはリモコン２０を操作して入力したＵＲＬへのアクセスを指示すると、該ＵＲＬへの接続が開始される。ブラウザは、Ｗｅｂサーバと通信してリソースを取得し、ＨＴＭＬ、ＸＨＴＭＬ、ＸＭＬ、テキスト（文字）、画像等の種類に応じて解析するパース処理を行う（ステップＳ１０１）。
【００３０】
マイコン１０６は、ブラウザにより取得されたリソースに含まれているスクリプトファイル（例えば、ＪａｖａＳｃｒｉｐｔファイル）を解析する（ステップ１０２）。具体的には、マイコン１０６は、スクリプトファイルのファイルサイズ（容量）、及び、該スクリプトファイルに特定のライブラリ（例えば、ＡＪＡＪＡ（Asynchronous JavaScript）、Dojo Toolkit、jQuery、ＧＷＴ(Google Web Toolkit)（Googleは、登録商標））が含まれているか否かを解析する。
【００３１】
マイコン１０６によるスクリプトファイルの解析の結果、スクリプトファイルのファイルサイズが所定のサイズ（例えば、２００ＫＢｙｔｅ）を超えている場合、又は、該スクリプトファイルに上述した特定のライブラリが含まれている場合（ステップＳ１０２のＹｅｓ）、マイコン１０６は、ＨＤＤ１０１に記憶されているラストチャンネルを選局するようにチューナ１０２を制御する。
【００３２】
ＡＶ出力コントローラ１１３は、Ｗｅｂサイトを表示する第１の表示形態（図４（ａ）参照）から、チューナ１０２で選局されたチャンネルの映像信号に対応する映像及びブラウザによるＷｅｂサイトの表示を合成した第２の表示形態（図４（ｂ）参照）へ切換える（ステップＳ１０３）。また、ＡＶ出力コントローラ１１３は、チューナ１０２で選局されたチャンネルの音声信号をスピーカ部１０Ｃへ出力する。スピーカ部１０Ｃは、ＡＶ出力コントローラ１１３から入力される音声信号に対応する音声をスピーカＳ１，Ｓ２から出力する。
【００３３】
ブラウザによるレンダリングが終了し、Ｗｅｂサイトの表示が完了すると（ステップＳ１０４）、ＡＶ出力コントローラ１１３は、表示モジュール１０Ｂの表示形態を、第２の表示形態から、第１の表示形態（図４（ｃ）参照）へ切換える（ステップＳ１０５）。
【００３４】
また、マイコン１０６によるスクリプトファイルの解析の結果、スクリプトファイルのファイルサイズが所定のサイズ（例えば、２００ＫＢｙｔｅ）以下で、かつ、該スクリプトファイルに上述した特定のライブラリが含まれていない場合（ステップＳ１０２のＮｏ）、ＡＶ出力コントローラ１１３は、Ｗｅｂサイトの表示が完了するまで第１の表示形態を維持する。
【００３５】
以上のように、この第１の実施形態では、スクリプトファイルの解析の結果、スクリプトファイルのファイルサイズが所定のサイズ（例えば、２００ＫＢｙｔｅ）を超えている場合、又は、該スクリプトファイルに上述した特定のライブラリが含まれている場合、つまり、Ｗｅｂサイトの表示時間が掛る場合、Ｗｅｂサイトを表示する第１の表示形態から、ＨＤＤ１０１に記憶されているラストチャンネルの番組及びＷｅｂサイトの両方を表示する第２の表示形態へ切換えられるので、Ｗｅｂサイトが表示されるまでの待ち時間の間、ユーザが手持無沙汰にならずユーザの利便性が向上する。
【００３６】
また、インターネット上のＷｅｂサイトの表示がすぐに終了する場合は、１画面表示と２画面表示との切り替えを行わないので、画面表示が目まぐるしく切り替わることなく、ユーザが煩わしさを感じることもない。また、キャッシュの効かないスクリプトファイルを解析の対象としているので、表示形態を切り替える必要があるかどうかを効果的に判定できる。
【００３７】
（第２の実施形態）
第１の実施形態では、スクリプトファイルを解析して、その解析結果に応じて第１の表示形態から第２の表示形態へ切換える形態について説明した。この第２の実施形態では、任意のＵＲＬへアクセスした際に、Ｗｅｂサイトが実際に表示されるまでの時間を測定し、次回同一のＵＲＬへアクセスした際に前回計測した時間に応じて、第１の表示形態から第２の表示形態へ切換える形態について説明する。
【００３８】
図５は、第２の実施形態に係る映像処理装置の構成を示す図である。この第２の実施形態では、第１の実施形態と同様に映像処理装置の具体例としてデジタルＴＶ２について説明するものとし、第１の実施形態に係るデジタルＴＶ１と同一の構成には同一の符号を付してその説明を省略する。
【００３９】
デジタルＴＶ２は、タイマ１０６ａを備えたマイコン１０６Ａを具備する点、及び、メモリ１０７ＡにＵＲＬの一覧と所定の時間Ｎ（例えば１０ｓ）を記憶している点が異なる。このメモリ１０７Ａには、任意のＵＲＬへアクセスした際に、Ｗｅｂサイトが実際に表示されるまでの時間Ｔが、所定の時間Ｎを超えた場合に、該ＵＲＬが記憶される。
【００４０】
図６は、第２の実施形態に係るデジタルＴＶ２の動作を示すフローチャートである。以下、図６を参照して、第２の実施形態に係るデジタルＴＶ２の動作の詳細を説明するが、以下の説明では、ブラウザが立ち上がり、ホームページとして登録されているＵＲＬのＷｅｂサイトが表示された状態からの動作を説明する。
【００４１】
ユーザがリモコン２０を操作して、お気に入りとして登録したＷｅｂサイトのＵＲＬ、検索サイトで検索されたＵＲＬもしくはリモコン２０を操作して入力したＵＲＬへのアクセスを指示すると、該ＵＲＬへの接続が開始される。ブラウザは、Ｗｅｂサーバと通信してリソースを取得してパース処理を行う（ステップＳ２０１）。
【００４２】
マイコン１０６Ａは、ＵＲＬへのアクセスが開始されると、タイマ１０６ａを起動すると共に、メモリ１０７Ａに現在アクセスしようとしているＵＲＬが記憶されているかどうかを判定する（ステップＳ２０２）。
【００４３】
メモリ１０７Ａに該ＵＲＬが記憶されている場合（ステップＳ２０２のＹｅｓ）、マイコン１０６Ａは、ＨＤＤ１０１に記憶されているラストチャンネルを選局するようにチューナ１０２を制御する。
【００４４】
ＡＶ出力コントローラ１１３は、表示モジュール１０Ｂの表示形態を、ＵＲＬのＷｅｂサイトを表示する第１の表示形態（図４（ａ）参照）から、チューナ１０２で選局された番組及びＷｅｂサイトの両方を表示する第２の表示形態（図４（ｂ）参照）へ切換える（ステップＳ２０３）。また、ＡＶ出力コントローラ１１３は、チューナ１０２で選局されたチャンネルの音声信号をスピーカ部１０Ｃへ出力する。スピーカ部１０Ｃは、ＡＶ出力コントローラ１１３から入力される音声信号に対応する音声をスピーカＳ１，Ｓ２から出力する。
【００４５】
ブラウザによるレンダリングが終了し、Ｗｅｂサイトの表示が完了すると（ステップＳ２０４）、ＡＶ出力コントローラ１１３は、表示モジュール１０Ｂの表示形態を、第２の表示形態から、第１の表示形態（図４（ｃ）参照）へ切換える（ステップＳ２０５）。また、メモリ１０７Ａに該ＵＲＬが記憶されていない場合（ステップＳ２０２のＮｏ）、ＡＶ出力コントローラ１１３は、Ｗｅｂサイトの表示が完了するまで第１の表示形態を維持する。
【００４６】
マイコン１０６Ａは、ブラウザによるレンダリングが終了し、Ｗｅｂサイトの表示が完了すると、タイマ１０６ａを停止し、タイマ１０６ａの起動から停止までの時間Ｔ、つまりＷｅｂサイトの表示に要した時間Ｔを、予めメモリ１０７Ａに記憶されている時間Ｎと比較する（ステップＳ２０６）。
【００４７】
時間Ｔが時間Ｎよりも長い場合（ステップＳ２０６のＹｅｓ）、マイコン１０６Ａは、該ＷｅｂサイトのＵＲＬをメモリ１０７Ａへ記憶する。また、時間Ｔが時間Ｎと同じか、もしくは短い場合（ステップＳ２０６のＮｏ）、マイコン１０６Ａは、該ＷｅｂサイトのＵＲＬをメモリ１０７Ａへ記憶せずに処理を終了する。
【００４８】
以上のように、この第２の実施形態では、任意のＵＲＬへアクセスした際に、Ｗｅｂサイトが実際に表示されるまでの時間を測定し、次回同一のＵＲＬへアクセスした際に前回計測した時間が所定の時間よりも長い場合、第１の表示形態から第２の表示形態へ切換えるので、第１の実施形態と同様の効果を得ることができる。また、スクリプトファイルを解析する必要が無いので、マイコン１０６Ａの処理負荷を抑制することができる。
【００４９】
（第３の実施形態）
第１，第２の実施形態では、任意のＷｅｂサイトを表示する際の形態について説明した。この第３の実施形態では、Ｗｅｂサイト等から任意のコンテンツをダウンロードする際の形態について説明する。この第３の実施形態に係る映像処理装置としてデジタルＴＶ３について説明するものとする。なお、デジタルＴＶ３の構成は、図２に示した構成と同じであるため、同一の構成について同一の符号を付してその説明を省略する。
【００５０】
図７は、第３の実施形態に係るデジタルＴＶ３の動作を示すフローチャートである。以下、図７を参照して、第３の実施形態に係るデジタルＴＶ３の動作の詳細を説明する。なお、以下の説明では、ブラウザが立ち上がり、ホームページとして登録されているＵＲＬのＷｅｂサイトが表示された状態からの動作を説明する。
【００５１】
ユーザがリモコン２０を操作して、表示されたＷｅｂサイトからコンテンツ（例えば、映画や音楽）のダウンロードを指示すると、ブラウザは、指定されたダウンロード対象であるコンテンツのダウンロードを開始する。この際、マイコン１０６は、ブラウザによりダウンロードされるコンテンツの属性ファイルから該コンテンツのファイルサイズ（容量）を解析する（ステップＳ３０１）。具体的には、マイコン１０６は、メモリ１０７に記憶された閾値Ｍと、コンテンツのファイルサイズと比較する。
【００５２】
マイコン１０６によるコンテンツのファイルサイズの解析の結果、コンテンツのファイルサイズが１Ｍｂｙｔｅを超えている場合（ステップＳ３０１のＹｅｓ）、マイコン１０６は、ＨＤＤ１０１に記憶されているラストチャンネルを選局するようにチューナ１０２を制御する。
【００５３】
ＡＶ出力コントローラ１１３は、表示モジュール１０Ｂの表示形態を、Ｗｅｂサイトを表示する第１の表示形態（図４（ａ）参照）から、チューナ１０２で選局された番組及びＷｅｂサイトの両方を表示する第２の表示形態（図４（ｂ）参照）へ切換える（ステップＳ３０２）。
【００５４】
ブラウザによるコンテンツのダウンロードが終了すると（ステップＳ３０３）、ＡＶ出力コントローラ１１３は、表示モジュール１０Ｂの表示形態を、第２の表示形態から、第１の表示形態（図４（ｃ）参照）へ切換える（ステップＳ３０４）。
【００５５】
また、マイコン１０６によるコンテンツのファイルサイズの解析の結果、コンテンツのファイルサイズが１Ｍｂｙｔｅ以下の場合（ステップＳ３０１のＮｏ）、ＡＶ出力コントローラ１１３は、Ｗｅｂサイトの表示が完了するまで第１の表示形態を維持する。
【００５６】
以上のように、この第１の実施形態では、ダウンロード対象であるコンテンツのファイルサイズが１ＭＢｙｔｅを超えている場合、つまり、コンテンツのダウンロードに掛る場合、Ｗｅｂサイトを表示する第１の表示形態から、ＨＤＤ１０１に記憶されているラストチャンネルの番組及びＷｅｂサイトの両方を表示する第２の表示形態へ切換えられるので、Ｗｅｂサイトが表示されるまでの待ち時間の間、ユーザが手持無沙汰にならずユーザの利便性が向上する。その他の効果は、第１の実施形態と同様である。
【００５７】
（その他の実施形態）
なお、本発明は上記実施形態そのままに限定されるものではなく、実施段階ではその要旨を逸脱しない範囲で構成要素を変形して具体化できる。例えば、上記第１〜第３の実施形態では、デジタル放送信号を受信する構成について説明したが、アナログ放送信号を受信して、表示モジュール１０Ｂへ表示するように構成してもよい。また、二画面表示に切り替えた際に、Ｗｅｂサイト又はラストチャンネルの番組のどちらか一方の画面を大きくして表示モジュール１０Ｂに表示するようにしてもよい。
【００５８】
また、二画面表示に切り替える際に、ラストチャネルの番組を表示する以外にも、外部記憶装置やＨＤＤ１０１に記憶されているコンテンツや番組を表示するようにしてもよい。さらに、二画面表示として、ラストチャネルの番組、外部記憶装置またはＨＤＤ１０１に記憶されているコンテンツや番組のいずれを表示するかをユーザが設定できるようにしてもよい。
【符号の説明】
【００５９】
１…デジタルＴＶ、２…アンテナ、１０Ａ…ＳＴＢ、１０Ｂ…表示モジュール、１０Ｃ…音声出力モジュール、２０…リモコン、１０１…ＨＤＤ、１０２…チューナ、１０３…復調モジュール、１０４…分離モジュール、１０５…ＡＶデコーダ、１０６…マイコン、１０７…メモリ、１０８…リモコン受信モジュール、１０９…端子、１１０…Ｉ／Ｆ、 １１１…端子、１１２…Ｉ／Ｆ、１１３…ＡＶ出力コントローラ。
【図１】
2011250061.tif 000003
【図２】
2011250061.tif 000004
【図３】
2011250061.tif 000005
【図４】
2011250061.tif 000006
【図５】
2011250061.tif 000007
【図６】
2011250061.tif 000008
【図７】
2011250061.tif 000009
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
インターネット上のＷｅｂサイトへアクセスするアクセス部と、
前記Ｗｅｂサイトの情報を解析し、前記Ｗｅｂサイトの情報に特定のライブラリが含まれるか否か、及び、前記Ｗｅｂサイトのスクリプトファイルのファイルサイズが所定のサイズを超えているか否かを判定する解析部と、
前記Ｗｅｂサイトの情報に特定のライブラリが含まれておらず、かつ、前記Ｗｅｂサイトのスクリプトファイルのファイルサイズが所定のサイズを超えない場合、前記Ｗｅｂサイトを表示する第１の表示形態に切り替え、前記Ｗｅｂサイトの情報に特定のライブラリが含まれている場合、又は、前記Ｗｅｂサイトのスクリプトファイルのファイルサイズが所定のサイズを超えている場合、前記Ｗｅｂサイト及び他の映像を表示する第２の表示形態に切り替える表示制御部と、
を具備することを特徴とする映像処理装置。
【請求項２】
インターネット上のＷｅｂサイトへアクセスするアクセス部と、
前記アクセス部がＷｅｂサイトへアクセスした際に、前記Ｗｅｂサイトが表示されるまでの時間を計測する計測部と、
前記計測部での計測時間が所定の時間を超えた前記ＷｅｂサイトのＵＲＬを記憶する記憶部と、
前記アクセス部が新たにＷｅｂサイトへアクセスした際に、該アクセスしたＷｅｂサイトのＵＲＬが前記記憶部に記憶されているか否かを判定する解析部と、
前記新たにアクセスしたＷｅｂサイトのＵＲＬが前記記憶部に記憶されていない場合、前記新たにアクセスしたＷｅｂサイトを表示する第１の表示形態に切り替え、前記新たにアクセスしたＷｅｂサイトのＵＲＬが前記記憶部に記憶されている場合、前記新たにアクセスしたＷｅｂサイト及び他の映像を表示する第２の表示形態に切り替える表示制御部と、
を具備することを特徴とする映像処理装置。
【請求項３】
放送信号を受信する受信部をさらに具備し、
前記表示制御部は、
前記受信部で受信した放送信号に対応する映像を他の映像として表示することを特徴とする請求項１又は請求項２記載の映像処理装置。
【請求項４】
前記表示制御部は、前記第２の表示形態に切り替えた際に、前記Ｗｅｂサイト又は前記他の映像の一方を他方よりも大きく表示することを特徴とする請求項１乃至請求項３のいずれかに記載の映像処理装置。
【請求項５】
前記受信部で受信した放送信号に対応する映像を記録する記録装置をさらに備え、
前記表示制御部は、前記第２の表示形態に切り替えた際に、前記記録装置に記録された映像を前記他の映像として表示することを特徴とする請求項３又は請求項４に記載の映像処理装置。
【請求項６】
Ｗｅｂサイトへアクセスするステップと、
前記Ｗｅｂサイトの情報を解析し、前記Ｗｅｂサイトの情報に特定のライブラリが含まれるか否か、及び、前記Ｗｅｂサイトのスクリプトファイルのファイルサイズが所定のサイズを超えているか否かを判定するステップと、
前記Ｗｅｂサイトの情報に特定のライブラリが含まれておらず、かつ、前記Ｗｅｂサイトのスクリプトファイルのファイルサイズが所定のサイズを超えない場合、前記Ｗｅｂサイトを表示する第１の表示形態に切り替え、前記Ｗｅｂサイトの情報に特定のライブラリが含まれている場合、又は、前記Ｗｅｂサイトのスクリプトファイルのファイルサイズが所定のサイズを超えている場合、前記Ｗｅｂサイト及び他の映像を表示する第２の表示形態に切り替えるステップと、
を具備することを特徴とする映像処理方法。
【請求項７】
Ｗｅｂサイトへアクセスするステップと、
前記Ｗｅｂサイトへアクセスした際に、前記Ｗｅｂサイトが表示されるまでの時間を計測するステップと、
前記計測した時間が所定の時間を超えた前記ＷｅｂサイトのＵＲＬを記憶部へ記憶するステップと、
新たにＷｅｂサイトへアクセスした際に、該アクセスしたＷｅｂサイトのＵＲＬが前記記憶部に記憶されているか否かを判定するステップと、
前記新たにアクセスしたＷｅｂサイトのＵＲＬが前記記憶部に記憶されていない場合、前記新たにアクセスしたＷｅｂサイトを表示する第１の表示形態に切り替え、前記新たにアクセスしたＷｅｂサイトのＵＲＬが前記記憶部に記憶されている場合、前記新たにアクセスしたＷｅｂサイト及び他の映像を表示する第２の表示形態に切り替えるステップと、
を具備することを特徴とする映像処理方法。